(57)【特許請求の範囲】
【請求項１】
パネルカバーの内面にパネルを組み立てるのに適し、前記パネルが対向する第１のパネル側辺と第２のパネル側辺を有するパネル組立構造であって、
前記パネルカバーの前記内面の第１のパネルカバー側辺に一体的に形成され、且つ前記第１のパネルカバー側辺から前記第１のパネル側辺に向かって凹状に窪み、第１の接続通り穴を有する第１の接続部と、
前記第１の接続通り穴と前記第１のパネル側辺上に配置される第１のパネルネジ穴とにネジ込められ、前記第１の接続部と前記第１のパネル側辺を共に締め付ける第１のネジと、
前記パネルカバーの前記内面の第２のパネルカバー側辺に一体的に形成され、且つ前記第２のパネルカバー側辺から前記第２のパネル側辺に向かって凹状に窪み、第２の接続通り穴を有する第２の接続部と、
前記第２の接続通り穴と前記第２のパネル側辺上に配置される第２のパネルネジ穴とにネジ込められ、前記第２の接続部と前記第２のパネル側辺を共に締め付ける第２のネジと、
前記第１の接続部と前記第１のパネル側辺との間に設置され、ワッシャー通り穴を有する弾性ワッシャーとを備え、
前記第１のネジは、前記第１の接続通り穴、前記ワッシャー通り穴、前記第１のパネルネジ穴に順次ネジ込められ、
前記弾性ワッシャーの２つの端部は第１の係合部をそれぞれ有し、前記第１の接続部の両サイドは、前記第１の接続部に対して前記弾性ワッシャーの位置を制限するように、前記対応する第１の係合部に係合される第２の係合部をそれぞれ有するパネル組立構造。
【請求項２】
請求項１に記載のパネル組立構造であって、
前記弾性ワッシャーは、前記ワッシャー通り穴を有するスリーブを備えるパネル組立構造。
【請求項３】
請求項２に記載のパネル組立構造であって、
緩衝通り穴を有する緩衝部材を更に備え、
前記緩衝部材は、前記緩衝通り穴によって前記スリーブの前記外縁に配置され、前記弾性ワッシャーと前記第１の接続部との間に設置されるパネル組立構造。
【請求項４】
請求項３に記載のパネル組立構造であって、
前記緩衝部材は、スプリングまたはゴムであるパネル組立構造。
【請求項５】
請求項１に記載のパネル組立構造であって、
前記第１のパネル側辺と、前記第１の接続部との間に設置された緩衝部材を更に備えるパネル組立構造。
【請求項６】
請求項５に記載のパネル組立構造であって、
前記緩衝部材は緩衝通り穴を有し、前記第１のネジは、前記第１の接続通り穴と前記緩衝通り穴とを経て、前記第１のパネルネジ穴にネジ込められるパネル組立構造。
【請求項７】
請求項５に記載のパネル組立構造であって、
前記緩衝部材は、スプリングまたはゴムであるパネル組立構造。
【請求項８】
パネルをパネルカバーに組み立てるのに適したパネル組立構造であって、
前記パネルカバーの２つの対向するパネルカバー側辺の間に設置された前記パネルを固定するために前記パネルの１対のパネルネジ穴にネジ込められる、前記１対のパネルネジ穴にそれぞれ対向する１対のネジと、
前記パネルカバー側辺及び前記パネルカバー側辺と対向するカバー側辺との間に設置された弾性ワッシャーとを備え、
前記１対のネジは、前記パネルカバー側辺上に配置されたパネルネジ穴にそれぞれ対向し、
前記弾性ワッシャーの２つの端部は第１の係合部をそれぞれ有し、前記弾性ワッシャーが設置される前記パネルカバー側辺は凹状に窪んだ接続部を有し、前記接続部の両サイドは、前記接続部に対して前記弾性ワッシャーの位置を制限するように、対応する前記第１の係合部に係合される第２の係合部をそれぞれ有するパネル組立構造。
【請求項９】
請求項８に記載のパネル組立構造であって、
前記弾性ワッシャーは、ワッシャー通り穴を有するスリーブを備え、前記ネジは前記ワッシャー通り穴にネジ込められるパネル組立構造。
【請求項１０】
請求項９に記載のパネル組立構造であって、
緩衝通り穴を有する緩衝部材を更に備え、
前記緩衝部材は、前記緩衝通り穴によって前記スリーブの前記外縁上に配置され、前記弾性ワッシャーと前記接続部との間に設置されるパネル組立構造。
【請求項１１】
請求項１０に記載のパネル組立構造であって、
前記緩衝部材は、スプリングまたはゴムであるパネル組立構造。
【請求項１２】
請求項８に記載のパネル組立構造であって、
前記パネルが対向する第１のパネル側辺と第２のパネル側辺を有し、
前記第１のパネル側辺と、前記接続部との間に設置された緩衝部材をさらに備えるパネル組立構造。
【請求項１３】
請求項１２に記載のパネル組立構造であって、
前記接続部は接続通り穴を有し、前記緩衝部材は緩衝通り穴を有し、前記第１のパネル側辺と前記第２のパネル側辺にはそれぞれパネルネジ穴を有し、前記１対のネジはそれぞれ前記接続通り穴と前記緩衝部材通り穴とを経て、前記パネルネジ穴にネジ込められるパネル組立構造。
【請求項１４】
請求項１３に記載のパネル組立構造であって、
前記緩衝部材は、スプリングまたはゴムであるパネル組立構造。
【発明の詳細な説明】
【技術分野】
【０００１】
本発明は、パネルの組立構造に関する。特に、ラップトップコンピュータにおけるディスプレイパネルの組立構造に関する。
【背景技術】
【０００２】
陰極線管（ＣＲＴ）のワークモードにおける白黒ＴＶが開発された後、画像ディスプレイ技術が次々と急速に進歩してきた。しかし、陰極線管のワークモードにおける表示は、不利な点（非常に大きく、非常に重く、高い放熱）を有し、新しいフラットパネル表示の技術が、次々と開発されてきた。平面パネル表示技術の中では、軽く、薄く、短く、小さく、省力で、熱放射がなく、フルカラーで、持ち運びが可能である利点を有する液晶表示装置(ＬＣＤ) が、最も発達し、普及されてきた。携帯電話、翻訳機、デジタルカメラ、デジタルビデオカメラ、パーソナルデジタルアシスタンツ(ＰＤＡ)、ラップトップコンピュータのような携帯可能な電子デバイスと更に、ディスクトップディスプレイ、ＴＶセットのような大きな電子デバイスは、液晶表示装置を用いてきた。
【０００３】
図１Ａは、ラップトップコンピュータにおける従来からある液晶表示装置パネルの組立構造を示す概略図であり、図１Ｂは、図１Ａにおける領域Ａを示す３次元図である。図１Ａと１Ｂを参照すると、液晶表示装置パネル２０は、ラップトップコンピュータ上部のカバー１０の内面に配置され、液晶表示パネル２０は、その左側と右側に配置される１対のブラケット３０によって、カバー１０の内面に固定される。
【０００４】
カバー１０の内面の液晶表示パネル２０を組み立てる工程は、以下に説明されている。最初に、液晶表示パネル２０の両側が１対のブラケット３０に固定されるように、複数の第１ネジ４２ａ〜４２ｄが、１対のブラケット３０の液晶表示パネル２０の両側にそれぞれネジ込められる。そして、ブラケット３０は、液晶表示パネル２０が１対のブラケット３０を通してカバー１０の内面に固定されるように、複数の第２のネジ４４によってカバー１０の内面に固定される。
【０００５】
しかし、液晶表示パネルを組み立てる上述の方法は、なお以下の不利な点を有している。
【０００６】
１．１対のブラケットは、一般に金属から作られているので、１対のブラケットの構成は、結果として、ラップトップコンピュータの総重量を増加させ、このことが、ラップトップコンピュータの開発を妨げている。
【０００７】
２．ラップトップコンピュータにおいて、液晶表示パネルの両側は、複数のネジによってのみ１対のブラケットに固定されるので、液晶表示パネルと１対のブラケットとの間の組立許容誤差は簡単に調整できない。
【発明の開示】
【発明が解決しようとする課題】
【０００８】
本発明の目的は、ラップトップコンピュータのパネルカバーに液晶表示パネルを組み立てるのに適した、パネルの組立機能を提供することである。
【課題を解決するための手段】
【０００９】
以上のまたは他の目的を達成するために、本発明はパネルカバーの内面のパネルを組み立てるのに適した、パネルの組立構造を提供する。パネルの組立構造は、第１の接続部、第１のネジ、第２の接続部、第２のネジを備えている。第１の接続部はパネルカバーの前記内面の第１のパネルカバー側辺に一体的に形成され、且つ前記第１のパネルカバー側辺から前記第１のパネル側辺に向かって凹状に窪み、第１の接続通り穴を有している。第１のネジは、第１の接続部と第１のパネル側辺とを共に締め付けるために、第１の接続通り穴と第１のパネル側辺上に配置される第１のパネルネジ穴にネジ込められる。第２の接続部は、パネルカバーの内面の第２のパネルカバー側辺に一体に構成され、且つ前記第２のパネルカバー側辺から前記第２のパネル側辺に向かって凹状に窪み、第２の接続通り穴を有している。第２のネジは、第２の接続部と第２のパネル側辺とを共に締め付けるために、第２の接続通り穴と第２のパネル側辺上に配置される第２のパネルネジ穴にネジ込められる。また、第１の接続部と第１のパネルの第１のサイドとの間に設置された、ワッシャー通り穴を有する弾性ワッシャーを有している。第１のネジは、第１の接続通り穴、ワッシャー通り穴、第１のパネルのネジ穴に順次ネジ込められる。更に、第１の接続部に関して弾性ワッシャーの位置を制限するように、上述の弾性ワッシャーの２つの端部は、第１の係合部をそれぞれ有し、第１の接続部の２つのサイドは、対応する第１の係合部に係合する第２の係合部をそれぞれ有する。
【００１２】
本発明の実施例において、上述の弾性ワッシャーは、上述のワッシャー通り穴を有するスリーブを有している。
【００１３】
本発明の実施例において、上述のパネル組立構造は更に、緩衝通り穴を有する緩衝部材を備えている。緩衝部材は、緩衝通り穴によってスリーブの外縁に配置され、弾性ワッシャーと第１の接続部との間に設置される。更に、上述の緩衝部材は、スプリングまたはゴムとすることができる。
【００１４】
本発明の実施例において、上述のパネル組立構造は、更に第１のパネル側辺と第１の接続部との間に設置された緩衝部材を備えている。更に、緩衝部材は、緩衝通り穴を有し、第１のネジは第１の接続通り穴と緩衝通り穴を通して第１のパネルネジ穴にネジ込められる。更に、上述の緩衝部材は、スプリングまたはゴムとすることができる。
【００１５】
上述または他の目的を実現するために、本発明は、パネルをパネルカバーに組み立てるのに適切なパネル組立構造を提供する。
パネル組立構造は、パネルカバーの２つの対向するパネルカバー側辺の間に設置された前記パネルを固定するために前記パネルの１対のパネルネジ穴にネジ込められる、前記１対のパネルネジ穴にそれぞれ対向する１対のネジと、前記パネルカバー側辺及び前記パネルカバー側辺と対向するカバー側辺との間に設置された弾性ワッシャーとを備える。前記１対のネジは、前記パネルカバー側辺上に配置されたパネルネジ穴にそれぞれ対向し、前記弾性ワッシャーの２つの端部は第１の係合部をそれぞれ有し、前記弾性ワッシャーが設置される前記パネルカバー側辺は凹状に窪んだ接続部を有し、前記接続部の両サイドは、前記接続部に対して前記弾性ワッシャーの位置を制限するように、対応する前記第１の係合部に係合され第２の係合部をそれぞれ有する。
【００１８】
本発明の実施例において、上述の弾性ワッシャーは、ワッシャー通り穴を有するカバーを備えている。このネジは、ワッシャー通り穴にネジ込められる。
【００１９】
本発明の実施例において、上述のパネル組立構造は更に、緩衝通り穴を有する緩衝部材を備えている。緩衝部材は、緩衝通り穴によってスリーブの外縁に配置され、弾性ワッシャーと接続部との間に設置される。上述の緩衝部材は、スプリングまたはゴムとすることができる。
【００２０】
本発明の実施例において、上述のパネル組立構造は更に、パネルが対向する第１のパネル側辺と第２のパネル側辺を有し、第１のパネル側辺と接続部との間に設置された緩衝部材を備えている。更に接続部は、接続通り穴を有し、緩衝部材は緩衝通り穴を有している。第１のパネル側辺と第２のパネル側辺にはそれぞれパネルネジ穴を有している。１対のネジは、それぞれ接続通り穴と緩衝通り穴を通して、パネルネジ穴にネジ込められる。更に、緩衝部材は、スプリングまたはゴムとすることができる。
【００２１】
以上の観点において、本発明のパネル組立構造は、パネルカバーの液晶表示パネルを固定するネジを持つ電子デバイスのパネルカバーに直接形成される接続部を利用する。従って、カバーにパネルを固定する従来のブラケットを用いる必要はなく、パネルを固定するのに用いられる部材の重さを削減することができる。従って、電子デバイスは、軽量となる傾向に徐々に進展できる。
【００２２】
更に、弾性ワッシャーは、上述の第１の接続部とパネルの幅許容誤差を除くパネルのサイドとの間に、選択的に配置することができる。更に、緩衝部材は、弾性ワッシャーと上述の第１の接続部との間に選択的に配置することができ、あるいは損傷からパネルを保護する適切な応力緩衝を与えるように、パネルのサイドと接続部との間に配置することができる。
【発明を実施するための最良の形態】
【００２３】
添付図が、本発明の更なる理解を与え、本明細書に組み入れられ、本明細書を構成する。この図は本発明の実施例を示し、詳細な説明と共に本発明の原理を説明する。
【００２４】
本発明の好適な実施例を詳細に説明する。これらの実施例は、添付図において説明される。可能な限り、同じ参照番号が、同じあるいは類似の部品を参照するために、図と詳細な説明において用いられる。
【００２５】
本発明のパネル組立構造は、電子デバイスのカバーの内面に表示パネルを組み立てるのに用いることができる。本発明の実施例において、ラップトップコンピュータとラップトップコンピュータのパネルカバーに組み立てられた液晶表示画面パネルとは、説明の一例として用いられる。更に、本発明のパネル組立構造はまた、携帯電話、翻訳機、デジタルカメラ、デジタルビデオカメラ、PDA (personal digital assistants )等のような、表示パネルを有する他の電子デバイスに適用することができる。
【００２６】
図２Ａおよび２Ｂはそれぞれ、パネルが本発明の実施例によるカバーに対して組み立てられる前のパネル組立構造の３次元図および上面図である。図２Ｃおよび２Ｄはそれぞれ、図２Ａにおいての領域Ｂ１および領域Ｂ２の拡大図である。図３Ａおよび３Ｂはそれぞれ、パネルがカバーに組み立てられた後の図２Ａと２Ｂにおけるパネル組立構造の３次元図および上面図である。図３Ｃおよび３Ｄはそれぞれ、図３Ａにおける領域Ｃの拡大図および断面図である。
【００２７】
図２Ａ〜２Ｃおよび図３Ａ〜３Ｄを参照すると、本発明のパネル組立構造は、ラップトップコンピュータのパネルカバー１２の内面１２ａの液晶表示画面パネル２０を組み立てるのに適している。液晶表示画面パネル２０は、第１のサイド２２および第１のサイド２２に平行した第２のサイド２４を有する。第１のパネルのネジ穴２２ａおよび第２のパネルのネジ穴（図示されない）は、それぞれ第１のサイド２２および第２のサイド２４に配置される。本発明の実施例によるパネル組立構造は、第１の接続部１１０、第１のネジ１２０、第２の接続部１３０、第２のネジ１４０を主に備えている。
【００２８】
第１の接続部１１０は、パネルカバー１２の内面１２ａに一体的に形成され、液晶表示パネル２０の第１のサイド２２に向かって延び、第１のネジ１２０が貫通する第１の接続通り穴１１２を有する。第１のネジ１２０は、パネルカバー１２に形成される第１の接続部１１０と液晶表示パネル２０の第１のサイド２２とを締め付けるために、第１の接続部１１０の第１の接続通り穴１１２と液晶表示パネル２０の第１のパネルのネジ穴２２ａとにネジ込められる。
【００２９】
同様に、第２の接続部１３０は、パネルカバー１２の内面１２ａに一体的に形成され、液晶表示パネル２０の第２のサイド２４に向かって延び、第２のネジ１４０が貫通する第２の接続通り穴１３２を有する。第２のネジ１４０は、パネルカバー１２に形成される第２の接続部１３０と液晶表示パネル２０の第２のサイド２４とを締め付けるために、第２の接続部１３０の第２の接続通り穴１３２と、液晶表示パネル２０の第２のネジ穴（図示されない）とにネジ込められる。
【００３０】
従って、液晶表示パネル２０は、接続部１１０、１３０とネジ１２０、１４０とによって、パネルカバー１２に固定される。従って、カバーに液晶表示パネルを固定する１対のブラケットを用いる必要はなく、これにより、ラップトップコンピュータの重さを減らしている。
【００３１】
接続部とネジの、位置と数は、本発明の実施例において記載されるものに限定されない。更に、支持リブ１５０は、構造強度を高めるために第１の接続部１１０または第２の接続部１３０を接続するのに用いることができる。
【００３２】
本発明の実施例において、液晶表示パネル２０の幅許容誤差を問題としないために、ネジ込み工程 (液晶表示パネル２０のブラケット３０に損傷を引き起こし、更に歪みを引き起こす結果、リップルが液晶表示パネル２０に発生する) におけるネジ１２０の先端部に力が集中するのを阻止するために、弾性ワッシャー１６０は、第１の接続部１１０と液晶表示パネル２０の第１のサイド２２との間に選択的に配置することができる。弾性ワッシャー１６０は、ネジ１２０をネジ込む力を、１点の力から平面の力に変換し、従って液晶表示パネル２０のブラケット３０上の力を均一に分配し、液晶表示パネル２０の保護を確実にする。弾性ワッシャー１６０は、第１の接続通り穴１１２に配置されるスリーブ１６２を有し、スリーブ１６２は、ワッシャー通り穴１６４を更に有する。液晶表示パネル２０の第２のサイド２４を第２の接続部１３０に固定した後と、パネルカバー１２に第１のサイド２２を固定する前に、第１のネジ１２０は、第１の接続通り穴１１２、ワッシャー通り穴１６４、第１のパネルのネジ穴２２ａに順次ネジ込められる。弾性ワッシャー１６０は、第１のネジ１２０によって液晶表示パネル２０に締め付けられるので、弾性ワッシャー１６０のスリーブ１６２が第１の接続通り穴１１２の中にスライドでき、液晶表示パネル２０の幅許容誤差を無視できる。
【００３３】
第１の接続部１１０と弾性ワッシャー１６０とを組み合わせる前に、第１の接続部１１０の弾性ワッシャー１６０を一時的に固定するために、弾性ワッシャー１６０の２つの端部は、第１の係合部１６６にそれぞれ配置することができ、第１の接続部１１０の２つの端部は、第１の係合部１６６に対応する第２の係合部１１４によって、それぞれ配置することができる。第１の接続部１１０に対応する弾性ワッシャー１６０の位置を制限し、一時的に弾性ワッシャー１６０を第１の接続部１１０に固定するように、第２の係合部１１４は、対応する第１の係合部１６６をそれぞれ係合するのに適している。
【００３４】
さらに、液晶表示パネル２０が損傷を受けることから保護する適切な応力緩衝を与え、更に液晶表示パネル２０に作用しネジ１２０によって与えられる力を分配するために、本発明は、弾性ワッシャー１６０と第１の接続部１１０との間の緩衝通り穴１７２を有する緩衝部材１７０を更に配置することができる。緩衝部材１７０は、弾性ワッシャー１６０と第１の接続部１１０との間に設置されるように、緩衝通り穴１７２を経て、スリーブ１６２の外縁に配置される。上述の緩衝部材１７０は、スプリングまたはゴムのような弾性部材とすることができる。
【００３５】
図４Ａおよび４Ｂはそれぞれ、液晶表示パネルの幅がより狭くあるいは広い場合の、第１のネジ、弾性ワッシャー、緩衝部材によって、液晶表示パネルに固定されるブラケットの部分的な上面図である。図４Ａおよび４Ｂにおいて示されるように、パネルカバーに組み立てられる液晶表示パネル２０の幅がより狭い場合、緩衝部材１７０は圧縮されず、弾性ワッシャー１６０の２つの端部における第１の係合部１６６は、第１の接続部１１０の第２の係合部１１４にクリップされる。他方、液晶表示パネル２０の幅が広い場合、弾性ワッシャー１６０は、第１の接続部１１０に向かって移動し、緩衝部材１７０を変形するように圧縮する。本発明は、弾性ワッシャー１６０の構成および緩衝部材１７０によって、液晶表示パネル２０の幅許容誤差を無視できる。
【００３６】
更に、本発明の他の実施例（図示されない）によると、上述の緩衝部材１７０は、液晶表示パネル２０の第１のサイド２２と第１の接続部１１０との間に、直接配置することができ、上述の弾性ワッシャー１６０を省くことができる。従って、第１のネジ１２０が、第１の接続通り穴１１２と緩衝通り穴１７２とを経て、第１のパネルのネジ穴２２ａにネジ込められる場合、緩衝部材１７０はまた、液晶表示パネル２０の幅許容誤差を同時に無視することができる。
【００３７】
要約すると、本発明のパネル組立構造は、以下の利点を有している。
【００３８】
１．本発明のパネル組立構造は、電子デバイスのパネルカバーに直接形成される接続部を、パネルカバーの液晶表示パネルを固定するネジと共に利用する。従って、カバーのパネルを固定する従来からあるブラケットを用いる必要はなく、パネルを固定するのに用いられる部材の重量を減少することができる。従って、この電子デバイスは、軽量化に向け徐々に進展できる。
【００３９】
２．本発明において、弾性ワッシャーは、パネルの幅許容誤差を無視するように、接続部とパネルのサイドとの間に配置することができる。
【００４０】
３．本発明において、緩衝部材は、弾性ワッシャーと、接続部との間に選択的に配置することができる。更に、緩衝部材は、パネルを損傷から保護する適切な応力緩衝を与えるために、パネルのサイドと接続部との間に、直接配置することができる。
【００４１】
４．本発明において、パネルは、接続部分とネジによってパネルカバーに直接固定することができるため、パネル組立の工程は簡略化することができ、その結果、組み立てられた後の液晶表示パネルモジュールの信頼性を改善することができる。
【００４２】
さまざまな変形および変更を、本発明の範囲または趣旨から離れることなく、本発明の構造に対し行うことができることが、当業者にとって明らかになる。上述の観点から、本発明の変形および変更が、以下の請求項および均等物の範囲にあれば、本発明が変形および変更を含むことが意図される。  
【図面の簡単な説明】
【００４３】
【図１Ａ】図１Ａは、ラップトップコンピュータにおける従来の液晶表示パネルの組立構造を示す概略図である。
【図１Ｂ】図１Ｂは、図１Ａにおける領域Ａを示す３次元図である。
【図２Ａ】図２Ａは、組み立てられる前の本発明のパネル組立構造の３次元図である。
【図２Ｂ】図２Ｂは、組み立てられる前の本発明のパネル組立構造の上面図である。
【図２Ｃ】図２Ｃは、図２Ａで示される領域Ｂ１の拡大図である。
【図２Ｄ】図２Ｄは、図２Ａに示される領域Ｂ２の拡大図である。
【図３Ａ】図３Ａは、組み立てた後の本発明のパネル組立構造の３次元図である。
【図３Ｂ】図３Ｂは、組み立てた後の本発明のパネル組立構造の上面図である。
【図３Ｃ】図３Ｃは、図３Ａにおける領域Ｃの３次元図である。
【図３Ｄ】図３Ｄは、図３Ａにおける領域Ｃの断面図である。
【図４Ａ】図４Ａは、液晶表示パネルの幅がより狭い場合に、第１のネジ、弾性ワッシャー、緩衝部材によって液晶表示パネルに固定されるブラケットの部分的な上面図である。
【図４Ｂ】図４Ｂは、液晶表示パネルの幅がより広い場合に、第１のネジ、弾性ワッシャー、緩衝部材によって液晶表示パネルに固定されるブラケットの部分的な上面図である。
【符号の説明】
【００４４】
１０  カバー
１２  パネルカバー
１２ａ  内面
２０  ディスプレイパネル
２２  第１のサイド
２２ａ  第１のパネルネジ穴
２４  第２のパネル
３０  ブラケット
４２ａ〜４２ｄ  第１のネジ
４４  第２のネジ
１１０  第１の接続部
１１２  第１の接続通り穴
１２０  第１のネジ
１３０  接続部
１３２  通り穴
１４０  第２のネジ
１５０  支持リブ
１６０  弾性ワッシャー
１６２  スリーブ
１６４  ワッシャー通り穴
１６６  第１の係合部
１７０  緩衝部材
１７２  緩衝通り穴
【図１Ａ】
0004472675.tif 000002
【図１Ｂ】
0004472675.tif 000003
【図２Ａ】
0004472675.tif 000004
【図２Ｂ】
0004472675.tif 000005
【図２Ｃ】
0004472675.tif 000006
【図２Ｄ】
0004472675.tif 000007
【図３Ａ】
0004472675.tif 000008
【図３Ｂ】
0004472675.tif 000009
【図３Ｃ】
0004472675.tif 000010
【図３Ｄ】
0004472675.tif 000011
【図４Ａ】
0004472675.tif 000012
【図４Ｂ】
0004472675.tif 000013